(57)【特許請求の範囲】
【請求項１】
少なくとも床より高い位置に設けられる既存の窓の下枠の見付け部に取り付けられる窓台であって、
前記既存の窓の下枠の見付け部から屋内側に向けて水平に突出する板状の台本体と、
該台本体を前記既存の窓の下枠に固定する取付け部材とからなり、
前記取付け部材は、前記既存の窓の下枠の厚さ及び幅よりも小さい高さと幅を有して当該既存の窓の下枠の見付け部に固定される下枠取付き部と、該下枠取付き部から屋内に向けて水平方向に突出する水平取付け部と、を備え、
前記台本体は、前記既存の窓の下枠の見付け部に当接した状態で前記下枠取付き部に係合する係合部を備えており、前記既存の窓の下枠に当該台本体が設置された状態で前記下枠取付き部の少なくとも上面部が当該台本体に覆われた状態であり、
前記台本体の下方空間には、前記台本体を支持する部材が設けられることなく、
前記台本体は、前記既存の窓の下枠取付き部を介して前記既存の窓の下枠によって片持ち状態で支持されることを特徴とする窓台。
【請求項２】
前記台本体は、前記既存の窓の下枠の上面を覆う延長部を備えており、
前記水平取付け部は、外部から視認されないように前記台本体により覆われていることを特徴とする請求項１に記載の窓台。
【請求項３】
前記延長部を含む前記台本体の上面が面一であることを特徴とする請求項２に記載の窓台。
【請求項４】
前記台本体の縁部に沿った段部が形成されていることを特徴とする請求項１乃至請求項３のいずれかに記載の窓台。
【発明の詳細な説明】
【技術分野】
【０００１】
本発明は、窓台に関する。さらに詳述すると、本発明は、既存の窓の下枠の見付け部に取り付け可能な窓台の構造の改良に関する。
【背景技術】
【０００２】
猫のようなペットは、床より高いところにある窓の下枠にスペースがある場合、日射や通風を得るため当該スペースに寝そべる習性がある。ところが、一般に出窓ではない通常の窓の下枠の見込み（屋内から屋外へ向かう方向の長さ、奥行き）は当該ペットの体の大きさに比べて狭いため、ペットの身体が下枠よりも外方にはみ出し、ペットにとっては居心地が悪く、場合によっては落下してしまう危険がある。また、このように下枠の見込みが狭いとペットが爪を網戸にかけてしまい、これによって網戸を壊してしまうことも考えられる。
【０００３】
上記のような問題を解決するものとして、従来、窓に沿って所定の高さに棚を配設することによってスペースを構成するようにした住宅（特許文献１参照）、窓ガラスへ容易に取り付けることができる吸盤付きの補助板や支柱を付設するようにしたペット用見晴台（特許文献２参照）等が提案されている。
【先行技術文献】
【特許文献】
【０００４】
【特許文献１】特開２００２−１９４９０５号公報
【特許文献２】特開２００３−１３４９５６号公報
【発明の概要】
【発明が解決しようとする課題】
【０００５】
しかしながら、上記特許文献１の構成においては、既成の窓に対してリフォームなどで棚を取り付ける場合は、棚を支持する脚や棚を壁に固定する方杖が必要である。この場合、方杖が窓下空間の使い勝手を制限して邪魔であり、また、当該方杖の下端部を取り付けるための下地を壁側に予め設けておく必要があり、リフォームには向かないという問題や、窓の下枠のみならず壁面までねじ孔等が形成されてしまい、当該棚を取り外す場合には、特に壁面のねじ孔等が目立ってしまうという問題がある。
【０００６】
また、特許文献２の構成においては、ペットの着座台を窓のガラス面に取り付けるので、窓枠などや壁の下地と無関係に付けられるが、ガラス面に付けるために着座台上のペットは日射や眺望は得られても通風を得ることができない。また、窓のガラス面に吸盤だけを介して固定するのは支持強度に乏しく、見晴台自体が落下してしまうことが考えられる。また、着座台を支柱で補助的に支持した構成も開示されているが、当該支柱は着座台の下方に突出することとなるので邪魔であるばかりでなく、そこに家人が足を引っ掛けてしまうことが考えられ、さらには、これによって支柱が外れ、これによってやはり着座台自体が落下してしまうことが考えられる。
【０００７】
本発明は、このような問題を解決するためになされたものであり、窓の下枠を利用して既存側への加工を最小限にとどめ、且つ、強固に取り付けることができ、また、取付け後は上部空間のみならず下方空間も有効に利用することができる窓台を提供することを目的とする。
【課題を解決するための手段】
【０００８】
（１）上記課題を解決すべく、本発明の具体的構成は、少なくとも床より高い位置に設けられる窓の下枠の見付け部に取り付けられる窓台であって、前記下枠の見付け部から屋内側に向けて水平に突出する板状の台本体と、該台本体と前記下枠とを固定する取付け部材とからなり、前記取付け部材は、前記下枠の厚さ及び幅よりも小さい高さと幅を有して当該下枠の見付け部に固定される下枠取付き部と、該下枠取付き部から屋内に向けて水平方向に突出する水平取付け部と、を備え、前記台本体は、前記下枠の見付け部に当接した状態で前記下枠取付き部に係合する係合部を備えており、前記下枠に当該台本体が設置された状態で前記下枠取付き部の少なくとも上面部が当該台本体に覆われた状態とする。
【０００９】
本発明に係る窓台においては、台本体が窓の下枠から突出した状態で取り付けられることとなるため、窓の開放／閉鎖とは無関係に当該窓前に設置することができ、台本体上に存するペットは通風を得ることができるものとなる。また、下枠の見付け部（正面から（本明細書の場合には屋内から屋外を向いた方向から）見える部分やその部材）に取付け部材が取り付けられ、当該取付け部材に台本体が係合する構成となっているため、下枠に加工を要するのみで、当該窓下方の壁面等には加工を要せず、既存側の加工を最小限にとどめることができる。また、当該窓台は、下枠取り付き部を介して下枠に連結された状態となるので、台本体の下方は当該台本体の一方の側方から他方の側方に亘って開放状とすることができる。
【００１０】
この窓台において、前記台本体は、前記下枠の上面を覆う延長部を備えていることが好ましい。このような延長部によって、台本体から窓の下枠に亘って連続した水平面が形成されることとなるので、段差が不存在となって花瓶等も安定した状態で設置することができるものとなる。また、下枠と台本体との間の継ぎ目が延長部によって覆われることとなるので、当該継ぎ目にペットの毛等の埃が溜まってしまうことも防止することができる。
【００１１】
また、本発明に係る窓台において、前記延長部を含む前記台本体の上面が面一であることが好ましい。これによれば、台本体を取り付けるだけで、窓の下枠に亘って連続した面一の水平面が形成される。
【００１２】
また、本発明に係る窓台において、前記台本体の縁部に沿った段部が形成されていることも好ましい。段部は、例えば猫のようなペットが窓台に飛び乗ったり降りたりする際に爪を引っ掛けることができる段、あるいは花瓶等の滑落を防ぐことができる段として機能しうる。
【発明の効果】
【００１３】
本発明によれば、窓の下枠を利用して既存側への加工を最小限にとどめ、且つ、強固に取り付けることができ、また、取付け後は上部空間のみならず下方空間も有効に利用することができる窓台を提供することができる。
【図面の簡単な説明】
【００１４】
【図１】本発明の一実施形態に係る窓台と該窓台が設置された窓の下枠を示す斜視図である。
【図２】窓台と該窓台が設置された窓の下枠を示す断面図である。
【図３】下枠の見付け部に取り付けられた取付け部材の側面図である。
【図４】台本体の欠き込み部（係合部）および溝部の一例を示す断面図である。
【図５】上面で猫が寝そべっている窓台と該窓台が設置された窓の下枠の一例を示す斜視図である。
【図６】本発明の第２の実施形態を示す窓台と該窓台が設置された窓の下枠を示す平面図である。
【図７】本発明の第２の実施形態を示す窓台と該窓台が設置された窓の下枠を示す断面図である。
【図８】段部が形成された台本体の一例を示す斜視図である。
【図９】凹部からなる段部の一例を示す断面図である。
【図１０】凸部からなる段部の一例を示す断面図である。
【図１１】下枠取付き部と水平取付け部とがＬ字形に接続された取付け部材を示す側面図である。
【発明を実施するための形態】
【００１５】
以下、図面を参照しつつ本発明に係る窓台の実施形態について詳細に説明する。
【００１６】
＜第１の実施形態＞
本発明に係る窓台１０は、少なくとも床より高いところにある既存の窓１の下枠２の見付け部（正面から（本明細書の場合には屋内から屋外を向いた方向から）見える面部）３に取り付け可能に設けられているものである。本実施形態の窓台１０は、台本体２０と取付け部材３０とを備えた構成となっている（図１、図２等参照）。
【００１７】
台本体２０は、下枠２の見付け部３から屋内（室内）側に向けて水平に突出する板状部材であり、当該見付け部に後付け可能である。本実施形態では屋内側の縁部２３が円弧状に形成された台本体２０を示しているが（図１参照）、形状や大きさが特に限定されることはない。ただし、図示するように屋内側の縁部２３が湾曲していれば、家人が接触したりぶつかったりしたときの衝撃や反力集中を和らげることができる。また、台本体２０の厚みは、少なくとも取付け部材３０の高さ（鉛直方向厚さ）よりも厚いものであれば特に限定されることはない。取付け部材３０よりも厚みのある台本体２０によれば、見付け部への取付け後、当該取付け部材３０が外部から視認できないように覆った状態とすることが可能となる（図２等参照）。
【００１８】
取付け部材３０は、台本体２０と下枠２とを固定する部材である。取付け部材３０自体の詳細な構造や大きさは特に限定されないが、上述したように、台本体２０を下枠２の見付け部３へ取付けた後は当該取付け部材３０が外部から視認できないように覆われた状態となるものであることが好ましい。本実施形態では、この取付け部材３０を、下枠取付き部３１と水平取付け部３２とを備えた構造としている（図３参照）。
【００１９】
下枠取付き部３１は、下枠２の厚さ（見付け部の鉛直方向高さ）よりも小さい高さであり、尚かつ下枠２の水平方向幅よりも小さい幅に形成されている。具体的数値を挙げて例示すれば、下枠２の厚さは一般的に20〜30ｍｍ程度であるので、下枠取付き部３１の高さはこの数値より小さい値に設定されている。本実施形態の下枠取付き部３１は板状であり（図２、図３参照）、下枠２にネジ止めで固定される際に利用可能なネジ孔が設けられている。
【００２０】
水平取付け部３２は、上述した下枠取付き部３１から屋内に向けて水平方向に突出するように形成されている。詳述すると、本実施形態の水平取付け部３２は下枠取付き部３１から水平方向に突出する板状部材からなり、当該水平取付け部３２の上下方向中途部から下枠取付き部３１を突出させることにより、取付け部材３０は側面視Ｔ字形を呈するものとなる（図３参照）。特に詳しく図示していないが、この水平取付け部３２と下枠取付き部３１とにブラケットを設けて補強するようにしてもよい。また、ここでいう水平方向は、完全な水平方向ばかりでなく、下枠取付き部３１の基端側から先端側に向けて僅か上向きに傾斜しているようなものも含む。
【００２１】
また、台本体２０には、下枠２の見付け部３に対向する面に下枠取付き部３１に係合する欠き込み部（係合部）２１が設けられている（図４参照）。欠き込み部２１は、下枠取付き部３１を収容可能な程度の開口部と深さを有した形状となっており（図４参照）、当該窓台１０が下枠２に取り付けられた状態で下枠取付き部３１に係合した状態となる。なお、ここでいう係合とは、欠き込み部（係合部）２１の少なくとも一部が下枠取付き部３１に対して接している状態ばかりでなく、欠き込み部（係合部）２１が下枠取付き部３１の一部又は全部を収容した状態も含む。
【００２２】
さらに、台本体２０の欠き込み部（係合部）２１の奥部には、水平取付け部３２を収容する溝部２２が設けられている（図４参照）。該溝部２２の幅は、水平取付け部３２の厚さよりも僅かに小さく形成されている。これによって溝部２２に収容される際の水平取付け部３２と当該溝部２２との間に摩擦力による抵抗が生じ、該抵抗は取付け後の台本体２０が下枠２から外れにくくする力となりうる。
【００２３】
取付け部材３０に対して台本体２０を固定するための手段は特に限定されないが、例えば本実施形態では、台本体２０の底面（裏面）から水平取付け部３２を貫通するネジやビスを打ち込んで固定するようにしている。ネジやビスを打ち込むやすくするガイドとして機能する小孔を設けておけば、大きな遊びがつくられず、またネジ等を綺麗に打ち込みやすくなって好ましい。
【００２４】
上述した本実施形態の窓台１０は、台本体２０が窓１の下枠２に取り付けられることとなるため、窓１が開いているか閉じているか、あるいはその開閉機構がどのようなものかにかかわらず、当該窓１の前に設置することが可能である（図１参照）。これによれば、猫のようなペットが寝そべって日射や通風を得ることができ、あるいは観賞用植物や小物を載置できるスペースを家人の所望に応じて事後的に形成することができる（図５参照）。
【００２５】
また、本実施形態の窓台１０によれば、下枠２の見付け部３に取付け部材３０が固定され、当該取付け部材３０に台本体２０が取り付けられる構成となっているため、下枠２に加工を要するのみで、当該窓１の下方の壁面等には加工を要せず、既存側の加工を最小限にとどめることができる。しかも、このような構造の場合、まずは取付け部材３０を固定してから台本体２０を取り付ければよく、台本体２０を下枠２に直接取り付ける必要がないため作業の簡便である。
【００２６】
また、当該窓台１０は、下枠取付き部３１を介して下枠２によってキャンティレバー状態（片持ち状態）で支持されることが可能であるため、台本体２０の下方は当該台本体２０の一方の側方から他方の側方に亘って開放状となり、窓台１０下方のペットの通行を可能とすると共に、当該窓台１０よりも大きな幅を有するたんす等の家具の設置も可能となる。
【００２７】
また、当該窓台１０が設置された状態では、取付け部材３０は台本体２０の係合や欠き込み部に収容された状態となり、外部から視認できない状態となる（図２参照）。つまり、窓台１０の設置後は取付け部材３０が露出しないので意匠的にも優れる。
【００２８】
＜第２の実施形態＞
本実施形態では、台本体２０に、既存窓１の下枠２の上面を覆うように延長部２４を形成している（図６、図７参照）。延長部２４は、台本体２０の一部が屋外方向へ延びるように形成されており、台本体２０から窓１の下枠２に亘って連続した面一の水平面を形成する。このような窓台１０は、上面における段差がなく、観賞用植物や花瓶等も安定した状態で飾ることが可能な飾り棚や花瓶置き場としても機能しうる。また、下枠２と台本体２０との間の継ぎ目が延長部２４によって覆われることとなるので、当該継ぎ目にペットの毛等の埃が溜まってしまうことも防止することができる。
【００２９】
このような延長部２４の具体的形状等は特に限定されないが、既存の窓１の下枠２の見込み（屋内から屋外へ向かう方向の長さ、奥行き）に対応して形状が設定されていれば取付け作業以外の加工が不要であり便宜である。また、下枠３に窓１の開閉用のハンドル４やギヤ等を内蔵したボックス５が設けられている場合（図２等参照）、ボックス５と下枠２との隙間に滑り込み可能な形状と厚さの延長部２４とすることも好ましい。
【００３０】
＜第３の実施形態＞
本実施形態では、台本体２０の上面に、例えば円弧状の縁部２３に沿った形状の段部２５を形成している（図８参照）。段部２５は、凹部であってもよいし（図９参照）、凸部であってもよい（図１０参照）。このような段部２５は、外観を向上させるばかりでなく、例えば猫のようなペットが窓台１０に飛び乗ったり降りたりする際に爪を引っ掛けることができ、あるいは花瓶等の滑落を防ぐことができる部材としても機能しうる。
【００３１】
なお、上述の実施形態は本発明の好適な実施の一例ではあるがこれに限定されるものではなく本発明の要旨を逸脱しない範囲において種々変形実施可能である。例えば、上述した実施形態では、下枠取付き部３１と水平取付け部３２とがＴ字形に接続された取付け部材３０を例示したが（図３等参照）、これ以外の形態たとえば下枠取付き部３１と水平取付け部３２とがＬ字形となるように接続されて形態であってもよい（図１１参照）。このようにＬ字形となっている場合、上述したような欠き込み部を設けずに、水平取付け部３２に対して台本体２０を腰掛け状態で載置させる取付け構造とすることもでき、コスト低減が図りやすいという利点がある。このような取付け部材３０と取付け構造を採用した場合、下枠取付き部３１の少なくとも上面部を台本体２０によって覆った状態とすることが可能である。
【００３２】
また、上述した実施形態や図面では特に示さなかったが、当該窓台１０の縁部２３等の縁（へり）や角等に適宜丸みを付すことができることはいうまでもない。
【００３３】
また、本発明を実施するにあたり、窓１に設置される窓台１０の幅が当該窓１の幅によって限定されることはない。例えば、窓１の幅の半分程度の幅を有する窓台１０を設置する場合でも、上述した実施形態と同様、窓１の下枠２を利用して加工を最小限にとどめながら当該窓台１０を強固に取り付けることができ、また、取付け後は上部空間のみならず下方空間も有効に利用することができる。
【産業上の利用可能性】
【００３４】
本発明は、壁に形成される開口下地と、該開口下地に取り付けられる建具枠との間に介在する建具枠調整具に適用して好適である。
【符号の説明】
【００３５】
１…窓、２…窓の下枠、３…見付け部、１０…窓台、２０…台本体、２１…欠き込み（係合部）、２３…縁部、２４…延長部、２５…縁部、３０…取付け部材、３１…下枠取付き部、３２…水平取付け部
【図１】
0005812619.tif 000002
【図２】
0005812619.tif 000003
【図３】
0005812619.tif 000004
【図４】
0005812619.tif 000005
【図５】
0005812619.tif 000006
【図６】
0005812619.tif 000007
【図７】
0005812619.tif 000008
【図８】
0005812619.tif 000009
【図９】
0005812619.tif 000010
【図１０】
0005812619.tif 000011
【図１１】
0005812619.tif 000012